(57)【要約】【課題】形状や色彩の変化に富み、使用者の気分をリラックスさせる耳掻きを、安価に提供する。【解決手段】掻取部１２を備える金属製の棒状部１１と、手に持つための柄部１３を有する耳掻き１０であって、柄部１３に眼鏡のモダンをそのまま用いる。棒状部１１の材質には、眼鏡のテンプル等に用いられるチタン合金が好ましく、柄部１３の材質には樹脂を用いることが好ましい。【選択図】図１
0003130696.tif 000002
【実用新案登録請求の範囲】
【請求項１】
掻取部を備える金属製の棒状部と手に持つための柄部を有する耳掻きにおいて、前記柄部に眼鏡のモダンを用いることを特徴とする耳掻き。
【請求項２】
前記棒状部の材質が、チタン合金であることを特徴とする請求項１に記載の耳掻き。
【請求項３】
前記柄部が、樹脂製のモダンであることを特徴とする請求項１又は２に記載の耳掻き。
【考案の詳細な説明】
【技術分野】
【０００１】
本考案は耳掻きに関し、特に、安価に製造することが可能であり、また、形状や色彩の変化に富んだデザインを施すことができる耳掻きに関する。
【背景技術】
【０００２】
従来の耳掻きは、例えば特許文献１に記載されたものが一般的である。すなわち、図７に示すように、特許文献１に記載された耳掻き３０は、金属や竹を素材とした細長い軸本体部３１の一端に掻取部３２が設けられ、他端に羽毛部３３が設けられたものである。
【０００３】
このような耳掻きは機能的で使い易く、安価に製造することができることから実際に広く用いられている。しかしながら、その形状や色彩についてデザインを施すことは、従来あまり考えられていない。例えば、特許文献２に記載されている耳掻きは柄部に装飾体を設けることが記載されているが、具体的には殆ど何も記載されていない。
【０００４】
一方、耳掻きを使用する人の立場になって考えると、耳掻きは個人的に使用するものであり、これを他人に見せることは少ないが、ゆっくりとリラックスした気分で使用することが多い。したがって、使用者が個人的に短時間使用するものではあるが、その形状や色彩にデザインを施すことは、仕事等で疲れた使用者を癒すことになり、非常に意義のあることである。
【０００５】
しかしながら、使用者が個人的に短時間使用するものに対して、高価なデザインを施すことは明らかに無駄であり、意味のないことである。したがって、専門のデザイナーに耳掻きのデザインを依頼することはできない。また、アクセサリーの加工を行うような専門の職人に、耳掻きの製造を依頼することもできない。
【特許文献１】実開平７−２０９７４号公報
【特許文献２】特開２００４−１３６０１４号公報
【考案の開示】
【考案が解決しようとする課題】
【０００６】
そこで、本考案の目的とするところは、形状や色彩の変化に富んだデザインが施された耳掻きであり、使用者の気分をリラックスさせることができる耳掻きを提供することである。また、その耳掻きを安価にデザインして提供することである。さらに、その耳掻きを安価に製造して提供することである。
【課題を解決するための手段】
【０００７】
上記の課題を解決するために、本考案の請求項１に係る耳掻きは、掻取部を備える金属製の棒状部と手に持つための柄部を有する耳掻きにおいて、前記柄部に眼鏡のモダンを用いる手段を採用している。また、本考案の請求項２に係る耳掻きは、請求項１に記載の耳掻きにおいて、前記棒状部の材質が、チタン合金である手段を採用している。さらに、本考案の請求項３に係る耳掻きは、請求項１又は２に記載の耳掻きにおいて、前記柄部が、樹脂製のモダンである手段を採用している。
【考案の効果】
【０００８】
本考案の耳掻きは、上記の手段を採用したことにより、眼鏡のモダンと同様に形状と色彩の変化に富んだデザインの耳掻きを提供することができる。したがって、使用者の気分をリラックスさせることができる耳掻きを提供することができる。また、すでに多種多様なデザインが施されているモダンのデザインを流用するので、安価にデザインすることができる。さらに、すでにモダンを製造している所では、材料の入手から加工するまでのノウハウを所有しており、加工のための設備も職人も所有しているので、安価に製造することができる。
【考案を実施するための最良の形態】
【０００９】
本考案の耳掻きは、掻取部を備える金属製の棒状部と手に持つための柄部を有する耳掻きであって、柄部に眼鏡のモダンを用いることを特徴としている。そこで最初に眼鏡の構造とモダンについて、図４〜６を用いて説明する。ここに示される眼鏡２０は、二つのレンズ２１がフロント枠２２に保持されている。フロント枠２２の中央には一対のパッド２３が設けられて、顔面の鼻に当接するようになっている。
【００１０】
フロント枠２２の両側部には智２４が設けられ、智２４から丁番を介してテンプル２５が開閉自在に取り付けられている。そして、テンプル２５の先端部であり耳に当接する部分が、モダン２６と呼ばれている。モダン２６は、使用の際に肌にソフトな感じで接触する材質が用いられている。また、眼鏡を構成する部材の中でも、比較的多様なデザインが施されている。
【００１１】
特に、金属を主材とするメタルフレームでは、チタン合金等の金属製テンプル２５と樹脂製のモダン２６の組み合わせが多く用いられている。この場合、テンプル２５及びモダン２６は、図５に示すような形で接合されている。その接合方法としては、図４に示すように真直ぐな挿入孔２７が設けられたモダン２６に、真直ぐに形成されたテンプル２５の一端側を差し込んだ後に、テンプル２５とモダン２６とを一緒に曲げて変形させることにより形成されている。
【００１２】
そして、テンプル２５及びモダン２６について、その形状的なデザインを工夫すると共に、色彩や模様による多様なデザインが工夫されている。したがって、テンプル２５及びモダン２６に関しては、材料の調達からデザイン及び加工に至るまで製造過程が確立されており、また、最新の加工機械等の設備を揃え、加工に熟練した人材も揃えている。
【００１３】
そこで、本考案の耳掻きは、上記の眼鏡に関する製造技術及びデザインを利用するものである。図１〜３に示すように、本考案の耳掻き１０は、掻取部１２を備える金属製の棒状部１１と、手に持つための柄部１３を有している。そして、柄部１３は、図３に示すように、真直ぐな挿入孔１４が設けられた眼鏡のモダンを、そのままの状態で使用することができる。
【００１４】
したがって、柄部１３は、材質、形状、色彩及び模様について、眼鏡のモダンで使用されているお洒落でハイセンスなデザインが施されることになる。材質としては、特に人肌に対してフィッティング感の良い、合成樹脂を使用することができる。また、モダンの製造工場で製作することにより、その設備や人材を有効に活用して、安価に製造することができる。
【００１５】
一方、棒状部１１も、眼鏡のテンプルと同様の材質を使用することができる。棒状部１１の形状は、柄部に差し込む一端側をテンプルと全く同じ形状とすることができる。テンプルと異なるのは、他端側に掻取部１２を設ける点のみである。したがって、テンプル用の素材を、棒状部１１の素材として転用することが可能であり、安価に製造することができる。材質としては、軽量で弾性に優れるものが好ましく、チタン合金等が特に好ましい。
【００１６】
以上のように、本考案の耳掻きは、眼鏡のモダン及びテンプルを利用することにより、デザインに優れて使用者をリラックスした気分にさせることができる。また、軽量で弾性に優れる棒状部１１と、人肌に対してフィッティング感の良い柄部１３との組み合わせにより、使い心地の良い耳掻きとすることができる。
【図面の簡単な説明】
【００１７】
【図１】本考案の耳掻きの一例を示す概略斜視図である。
【図２】図１に示す耳掻きの棒状部を示す概略斜視図である。
【図３】図１に示す耳掻きの柄部を示す概略斜視図である。
【図４】眼鏡のモダンを示す概略図である。
【図５】眼鏡のテンプルとモダンとの接合方法を示す概略図である。
【図６】眼鏡の構造を示す概略斜視図である。
【図７】従来の耳掻きの一例を示す概略斜視図である。
【符号の説明】
【００１８】
１０、３０    耳掻き
１１    棒状部
１２、３２    掻取部
１３    柄部
１４、２７    挿入孔
２０    眼鏡
２１    レンズ
２２    フロント枠
２３    パッド
２４    智
２５    テンプル
２６    モダン
３１    軸本体部
３３    羽毛部
【図１】
0003130696.tif 000003
【図２】
0003130696.tif 000004
【図３】
0003130696.tif 000005
【図４】
0003130696.tif 000006
【図５】
0003130696.tif 000007
【図６】
0003130696.tif 000008
【図７】
0003130696.tif 000009